(57)【要約】【課題】  シート体の取り付けが容易に行えると共に、取り付けられたシート体が脱離しにくいシート保持具を提供する。【解決手段】  シート保持具３７は、その先端４１から枠部２５ａ側へと広がるように形成された第１係合部３８と、第１係合部３８の枠部２５ａ側に接続され、枠部２５ａ側へと広がるように形成された第２係合部３９と、第２係合部３９の枠部２５ａ側に接続され、その軸方向が枠部２５ａ側へ伸びる胴部４０とを備えている。そして、平面４４への第１係合部３８及び第２係合部３９の各々の投影面積は、胴部４０の投影面積より大きく、且つシート保持具３７全体の投影面積より小さくなるように設定されている。第１係合部３８及び第２係合部３９を順にフィルター２２に貫通させると、フィルター２２に生じる開口の大きさはフィルター保持具３７の投影面積より小さくなるため、取り付けに要する力が軽減され、フィルター２２の保持状態も安定する。【選択図】        図６
2006177626.tif 000002
【特許請求の範囲】
【請求項１】
可撓性を有する材料よりなるシート体を貫通した状態で被取付体に保持するシート保持具であって、
その先端から前記被取付体側へと広がるように形成された第１係合部と、
前記第１係合部の前記被取付体側に接続され、前記被取付体側へと広がるように形成された第２係合部と、
前記第２係合部の前記被取付体側に接続され、その軸方向が前記被取付体側へと伸びる胴部とを備え、
前記胴部の軸方向と直交する平面への前記第１係合部及び前記第２係合部の各々の投影面積が、前記胴部における前記第２係合部側の端部の前記平面への投影面積より大きく、且つ前記平面への前記シート保持具全体の投影面積より小さくなるように設定された、シート保持具。
【請求項２】
前記胴部は、前記平面へのその投影が、前記平面への前記第１係合部及び前記第２係合部の各々の投影同志が重なり合う部分に含まれるように形成される、請求項１記載のシート保持具。
【請求項３】
前記第２係合部は、前記平面へのその投影が、前記平面への前記第１係合部の投影と同一形状となるように形成される、請求項２記載のシート保持具。
【請求項４】
前記第１係合部及び前記第２係合部の各々は、前記平面への前記胴部の投影とは重なり合わない投影を構成する部分の前記被取付体側が、面状よりなる突出面に形成され、前記突出面の外方端部の少なくとも近傍が前記先端側に凹むように形成される、請求項１から請求項３のいずれかに記載のシート保持具。
【請求項５】
前記第２係合部は、前記第１係合部の前記先端側から見た前記平面と平行な方向において、前記第１係合部とは反対方向に伸びるように形成される、請求項１から請求項４のいずれかに記載のシート保持具。
【請求項６】
前記第１係合部及び前記第２係合部は、前記第１係合部の外面の一部と、前記第２係合部の外面の一部とで連続した傾斜面を構成するように形成される、請求項１から請求項５のいずれかに記載のシート保持具。
【請求項７】
前記第１係合部は、前記先端が尖るように形成される、請求項１から請求項６のいずれかに記載のシート保持具。
【発明の詳細な説明】
【技術分野】
【０００１】
この発明はシート保持具に関し、特にフィルター等のシート体を貫通した状態で被取付体に保持するためのシート保持具に関するものである。
【背景技術】
【０００２】
図１１は、従来のシート保持具の概略を示した模式図である。
【０００３】
図を参照して、吸気口８４を有する被取付体８６に、シート形状のフィルター８５を保持するためのシート保持具８０が取り付けられている。
【０００４】
シート保持具８０は、その先端から被取付体８６側へと広がる側面視三角形状に形成された係合部８１と、係合部８１の被取付体８６側の面に接続され被取付体８６側へと伸びる側面視矩形形状の胴部８２とを備え、平板状のベース部８３を介して胴部８２と被取付体８６の外面とが接続されている。そして、図の左右方向における胴部８２の寸法は、同方向における係合部８１の被取付体８６側の寸法より小さくなるように設定されている。
【０００５】
このようなシート保持具８０を介してフィルター８５を被取付体８６に取り付ける際には、図の実線で示した位置に広げたフィルター８５を、図の破線で示した位置へと被取付体８６側に移動させる。そして、フィルター８５にシート保持具８０の先端を突き刺し、シート保持具８０でフィルター８５を突き破りながら、フィルター８５を二点鎖線で示した位置まで移動させる。これにより、フィルター８５は、シート保持具８０が貫通した状態で、被取付体８６の吸気口８４を覆うように保持される。
【０００６】
この状態にあっては、係合部８１の下端部分が、図の二点鎖線で示した位置に取り付けられたフィルター８５に対する返しとして機能するため、フィルター８５のシート保持具８０から上方への抜け出しが抑制されている。
【発明の開示】
【発明が解決しようとする課題】
【０００７】
上記のような従来のシート保持具では、フィルター等のシート体の抜け出しを効率的に抑制するために、係合部の被取付体側部分は、幅方向において胴部の両側に突出するように形成されている。特に、薄手の不織布よりなるフィルター等のシート体を取り付ける場合、シート体の密度が必ずしも一定ではないため、シート体における局所的に薄い部分であっても安定して保持することができるように、係合部の被取付体側部分の面積を胴部の寸法に対してなるべく大きく設定するのが好ましい。
【０００８】
しかしながら、上記のようなシート保持具はシート体を突き破りながら貫通させる必要があるため、係合部の被取付体側の面積を大きくすると、今度はシート体を貫通させるために要する力が大きくなり、シート保持具へのシート体の取り付けが行いにくくなってしまう。
【０００９】
また、シート体を突き破るようにしてシート保持具を貫通させた後は、取り付けられたシート体には係合部の被取付体側部分の寸法にほぼ対応する大きさの開口が形成されることになる。すると、シート体の撓みや伸び、変形等がなければ、シート体をシート保持具の先端側へ移動させた場合に、理論上はシート保持具の係合部がシート体のほぼ同形状の開口を通過して、シート体がシート保持具から脱離してしまう虞がある。
【００１０】
この発明は、上記のような課題を解決するためになされたもので、シート体の取り付けが容易に行えると共に、取り付けられたシート体が脱離しにくいシート保持具を提供することを目的とする。
【課題を解決するための手段】
【００１１】
上記の目的を達成するために、請求項１記載の発明は、可撓性を有する材料よりなるシート体を貫通した状態で被取付体に保持するシート保持具であって、その先端から被取付体側へと広がるように形成された第１係合部と、第１係合部の被取付体側に接続され、被取付体側へと広がるように形成された第２係合部と、第２係合部の被取付体側に接続され、その軸方向が被取付体側へと伸びる胴部とを備え、胴部の軸方向と直交する平面への第１係合部及び第２係合部の各々の投影面積が、胴部における第２係合部側の端部の平面への投影面積より大きく、且つ平面へのシート保持具全体の投影面積より小さくなるように設定されたものである。
【００１２】
このように構成すると、第１係合部及び第２係合部の順にシート体を突き破りながら貫通させると、シート体に生じる開口の面積を、シート保持具全体の投影面積より小さくすることができる。
【００１３】
請求項２記載の発明は、請求項１記載の発明の構成において、胴部は、平面へのその投影が、平面への第１係合部及び第２係合部の各々の投影同志が重なり合う部分に含まれるように形成されるものである。
【００１４】
このように構成すると、シート体の取り付け時に、シート体に生じる開口の大きさが、第１係合部及び第２係合部の各々の投影の大きさのみで規定される。
【００１５】
請求項３記載の発明は、請求項２記載の発明の構成において、第２係合部は、平面へのその投影が、平面への第１係合部の投影と同一形状となるように形成されるものである。
【００１６】
このように構成すると、シート保持具をシート体に貫通させたときに生じる開口の大きさを、第１係合部の投影面積の大きさと同一として、第１係合部及び第２係合部を貫通させるために必要最小限な大きさにすることができる。
【００１７】
請求項４記載の発明は、請求項１から請求項３のいずれかに記載の発明の構成において、第１係合部及び第２係合部の各々は、平面への胴部の投影とは重なり合わない投影を構成する部分の被取付体側が、面状よりなる突出面に形成され、突出面の外方端部の少なくとも近傍が先端側に凹むように形成されるものである。
【００１８】
このように構成すると、胴部まで貫通させたシート体を、シート保持具の先端側へ移動させると、シート体が第１係合部及び第２係合部の各々の突出面の外方端部に引っ掛かった状態で係合しやすくなる。
【００１９】
請求項５記載の発明は、請求項１から請求項４のいずれかに記載の発明の構成において、第２係合部は、第１係合部の先端側から見た平面と平行な方向において、第１係合部とは反対方向に伸びるように形成されるものである。
【００２０】
このように構成すると、シート保持具の先端側から見ると、第１係合部及び第２係合部がほぼ同一直線状に伸びるように配置される。
【００２１】
請求項６記載の発明は、請求項１から請求項５のいずれかに記載の発明の構成において、第１係合部及び第２係合部は、第１係合部の外面の一部と、第２係合部の外面の一部とで連続した傾斜面を構成するように形成されるものである。
【００２２】
このように構成すると、シート体に生じた開口の端部の一部が傾斜面に沿って第１係合部から第２係合部へと連続的に移動する。
【００２３】
請求項７記載の発明は、請求項１から請求項６のいずれかに記載の発明の構成において、第１係合部は、先端が尖るように形成されるものである。
【００２４】
このように構成すると、第１係合部の先端をシート体に突き刺すために要する力が軽減される。
【発明の効果】
【００２５】
以上説明したように、請求項１記載の発明は、第１係合部及び第２係合部の順にシート体を突き破りながら貫通させると、シート体に生じる開口の面積を、シート保持具全体の投影面積より小さくすることができるため、取り付けられたシート体のシート保持具の先端側への離脱が抑制され、シート保持具によるシート体の保持状態が安定する。また、シート体の取り付け時に、シート体を貫通させるために要する力が小さくなり、シート保持具へのシート体の取り付けがしやすくなる。
【００２６】
請求項２記載の発明は、請求項１記載の発明の効果に加えて、シート体の取り付け時にシート体に生じる開口の大きさは、胴部の大きさの影響を受けないため、効率的なシート保持具となる。
【００２７】
請求項３記載の発明は、請求項２記載の発明の効果に加えて、シート保持具をシート体に貫通させたときに生じる開口の大きさを、第１係合部の投影面積の大きさと同一として、第１係合部及び第２係合部を貫通させるために必要最小限な大きさにすることができるため、シート保持具をシート体に貫通させるために要する力がより一層小さくなり、シート保持具へのシート体の取り付けがより一層しやすくなる。また、シート体のシート保持具からの離脱がより一層抑制され、シート保持具によるシート体の保持状態がより一層安定する。
【００２８】
請求項４記載の発明は、請求項１から請求項３のいずれかに記載の発明の効果に加えて、胴部まで貫通させたシート体を、シート保持具の先端側へ移動させると、シート体が第１係合部及び第２係合部の各々の突出面の外方端部に引っ掛かった状態で係合しやすくなるため、取り付けられたシート体のシート保持具からの脱離が更に抑制され、シート体の保持状態が安定する。
【００２９】
請求項５記載の発明は、請求項１から請求項４のいずれかに記載の発明の効果に加えて、シート保持具の先端側から見ると、第１係合部及び第２係合部がほぼ同一直線状に伸びるように配置されるため、シート体を回転させることなく直線方向に移動させるだけで、第１係合部と第２係合部とを順にシート体に貫通させることができ、シート体の取り付けが容易となる。
【００３０】
請求項６記載の発明は、請求項１から請求項５のいずれかに記載の発明の効果に加えて、シート体に生じた開口の端部の一部が傾斜面に沿って第１係合部から第２係合部へと連続的に移動するため、シート保持具をシート体にスムーズに貫通させることが可能となる。
【００３１】
請求項７記載の発明は、請求項１から請求項６のいずれかに記載の発明の効果に加えて、第１係合部の先端をシート体に突き刺すために要する力が軽減されるため、シート体のシート保持具への取り付けが更に容易に行え、使い勝手が良い。
【発明を実施するための最良の形態】
【００３２】
図１は、この発明の第１の実施の形態によるシート保持具を備えたフィルター構造体の使用状態を示した分解斜視図である。
【００３３】
図を参照して、台所のガスレンジ等の上方に取り付けて使用されるレンジフード１０は、その前面側の二点鎖線で示した位置に脱着自在に取り付けられる金属フィルター１１ａ及び１１ｂと、金属フィルター１１ａ及び１１ｂの内方に固定されたシロッコファン１２とを備えている。このシロッコファン１２はその前面部１３に吸気口１４を有し、その上方部分が図示しないダクトに接続されている。そして、シロッコファン１２の吸気口１４を覆うようにフィルター構造体２１が取り付けられている。
【００３４】
まず、このフィルター構造体２１の構成について説明する。
【００３５】
図２は、図１で示したシロッコファン部分の拡大正面図であり、図３は、図２で示したＩＩＩ−ＩＩＩラインの断面図であり、図４は、図２で示したＩＶ−ＩＶラインの拡大端面図である。
【００３６】
これらの図を参照して、フィルター構造体２１は、可撓性を有するシート形状の材料よりなり、広げた状態で吸気口１４の全体を覆うことができるフィルター２２と、フィルター２２に取り付けられフィルター２２を広げた状態に脱着自在に保持する枠体２３と、枠体２３と一体化したフィルター２２をシロッコファン１２に固定する固定具１７ａ〜１７ｄとを備えている。
【００３７】
フィルター２２は、例えばシート状の不織布の打ち抜き加工することによって外郭がほぼ円形状に形成され、その外周部分には平面視においてほぼ矩形形状を有する４つの取付部２７が等間隔に接続されると共に、隣接する取付部２７の中間部分にほぼ半円形状の切欠２８ａ〜２８ｄが形成されている。この４つの取付部２７の各々は、取り付け時における固定具１７ａ〜１７ｄの配置の目安として設けられているものであり、切欠２８ａ〜２８ｄの各々はフィルター２２への枠体２３の取り付け時の目安として設けられているものである。
【００３８】
枠体２３は、例えばポリプロピレンの射出成形により形成され、フィルター２２のほぼ中央に配置される中央部２４と、各々が中央部２４に接続され、平面視において中央部２４からほぼ十字方向に伸びる枠部２５ａ〜２５ｄとから構成されている。これらの中央部２４及び枠部２５ａ〜２５ｄの各々は、シロッコファン１２の運転時の通気性を確保するために、平面視において中空形状となるように形成されている。また、枠部２５ａ及び２５ｃの端部の各々の距離と、枠部２５ｂ及び２５ｄの端部の各々の距離とは、いずれも吸気口１４の直径より大きくなるように設定されている。
【００３９】
このように形成された枠体２３は、シロッコファン１２の前面部１３とフィルター２２との間において、吸気口１４の外周縁にネジ１６ａ〜１６ｄを介して取り付けられた保護リング１５と接した状態で配置されている。尚、これらのネジ１６ａ〜１６ｄは、図３に示されるように、保護リング１５の外方面から突出した状態で取り付けられている。
【００４０】
更に、枠体２３の枠部２５ｂ及び２５ｄの各々の端部には、それぞれ面状ファスナー２９が取り付けられると共に、枠部２５ａ及び２５ｃの各々の端部には、シート保持具３７が枠体２３と一体的に形成されている。尚、これらの面状ファスナー２９及びシート保持具３７は、フィルター２２を枠体２３に脱着自在に取り付けるために設けられているものである。
【００４１】
面状ファスナー２９は、図４に示されるように、その横断面がほぼ一定形状に形成され、その下面の幅方向における両端から下方に伸びる一対の脚部３０ａ及び３０ｂと、その下面のほぼ中央から下方に伸び、その下端に鉤状部３２ａ及び３２ｂが形成された脚部３１とを備えている。
【００４２】
そして、面状ファスナー２９は、その脚部３１を枠部２５ｂの凸部３４に形成されたスリット３３に、スリット３３の軸方向（紙面と直交する方向）から嵌め込んだ状態で取り付けられている。これにより、鉤状部３２ａ及び３２ｂを有する脚部３１と凸部３４とが係合し、面状ファスナー２９の上方向への抜け出しが阻止された状態となる。
【００４３】
このようにして面状ファスナー２９と枠体２３とが嵌め込みによって接続されているため、枠体２３を油煙が付着しやすい場所で使用しても、面状ファスナー２９は、枠体２３から脱落することなく、安定してフィルター２２を保持することが可能となる。
【００４４】
一方、シート保持具３７は、フィルター２２を貫通した状態でフィルター２２を保持するためのものであるが、その詳細については後述する。
【００４５】
また、固定具１７ａは、図３に示されるように、磁石１８とヨーク１９とから構成され、金属板よりなるシロッコファン１２の前面部１３への吸着効果によって、フィルター２２の外周部分における取付部２７が脱着自在に固定されている。また、他の固定具１７ｂ〜１７ｄも固定具１７ａと同一構成を有し、フィルター２２の外周部分における取付部の各々が、固定具１７ｂ〜１７ｄの各々によって脱着自在にシロッコファン１２に取り付けられている。
【００４６】
ここで、上述したシート保持具の詳細について説明する。
【００４７】
図５は、図２で示した”Ｙ”部分の拡大図であり、図６は、図５で示したＶＩ−ＶＩラインの拡大断面図であり、図７は、図５で示したＶＩＩ−ＶＩＩラインの拡大断面図である。
【００４８】
これらの図を参照して、シート保持具３７は、その先端４１から枠部２５ａ側へと広がるように形成された第１係合部３８と、第１係合部３８の枠部２５ａ側に接続され、枠部２５ａ側へと広がるように形成された第２係合部３９と、第２係合部３９の枠部２５ａ側に接続され、その軸方向が枠部２５ａ側へ伸び、枠部２５ａに接続された胴部４０とを備えている。
【００４９】
第１係合部３８は、胴部４０の軸方向と直交する平面４４へのその投影が、長手方向が枠部２５ａの端部側へと伸びる矩形形状を有するように形成されている。そして、第１係合部３８の寸法は、平面４４へのその投影面積が、平面４４への胴部４０の投影面積より大きく、且つ平面４４へのシート保持具３７全体の投影面積より小さくなるように設定されている。更に、第１係合部３８は、その先端４１が尖るように四角錐形状に形成されている。
【００５０】
一方、第２係合部３９は、平面４４へのその投影が第１係合部３８と同一の矩形形状を有するように形成され、その投影の長手方向が、先端４１から見た平面４４と平行な方向において、第１係合部３８とは反対の方向に伸びるように形成されている。そして、第２係合部３９の寸法は、第１係合部３８と同様に、平面４４へのその投影面積が、平面４４への胴部４０の投影面積より大きく、且つ平面４４へのシート保持具３７全体の投影面積より小さくなるように設定されている。
【００５１】
そして、第１係合部３８及び第２係合部３９の各々は、平面４４への胴部４０の投影と重なり合わない投影を構成する部分、すなわち、側壁４２ｂ及び４２ａの各々を含む平面より外方の部分における枠部２５ａ側が面状よりなる突出面４５及び突出面４６に形成され、これらの突出面４５及び突出面４６が先端４１側に凹む傾斜面となるように形成されている。よって、図の二点鎖線で示した位置に取り付けられたフィルター２２を、シート保持具３７の先端４１側に移動させると、フィルター２２は、突出面４５及び突出面４６の各々の外方端部に引っ掛かった状態で係合しやすくなるため、取り付けられたフィルター２２のシート保持具３７からの離脱が抑制され、シート体の取り付け状態が安定して維持される。また、これらの第１係合部３８及び第２係合部３９は、第１係合部３８の外面の一部と第２係合部３９の外面の一部とで連続した傾斜面４７を構成するように形成されている。
【００５２】
胴部４０は、平面４４へのその投影が、平面４４への第１係合部３８及び第２係合部３９の各々の投影同志が重なり合う部分に全て含まれるように形成されている。特に、この実施の形態においては、第１係合部３８及び第２係合部３９の各々の矩形形状の投影同志が重なり合う部分と同一形状の断面を有する四角柱形状に形成されている。
【００５３】
尚、これらの第１係合部３８、第２係合部３９及び胴部４０の投影の形状と面積との関係については、使用時にシート体に生じる開口の大きさとの関係と併せて更に後述する。
【００５４】
図８は、この発明の第１の実施の形態によるシート保持具の利点を説明するための図であって、その（１）は、図７で示したＶＩＩＩ１−ＶＩＩＩ１ラインの端面図であり、その（２）は、従来のシート保持具を示した図である。また、図９は、図８に対応して、シート保持具の各々の投影とその投影の模式図とを示した図である。尚、図８においては、説明上、突出面４５及び突出面４６を凹みのない水平面として記載している。
【００５５】
図８の（１）と図９の（１）とを併せて参照して、シート保持具３７において、平面４４への第１係合部３８、第２係合部３９及び胴部４０の投影面積を、それぞれＳ１、Ｓ２及びＳ３とする。尚、この実施の形態においては、上述のように、胴部４０は、平面４４へのその投影が第１係合部３８及び第２係合部３９の各々の投影同志の重なり合う部分と同一形状となるように形成されているので、投影面積Ｓ３は、図９の（１）の格子状の部分の面積と同一となる。また、平面４４へのシート保持具３７全体の投影面積をＳ０とする。
【００５６】
ここで、上述した各部の投影面積の関係を再度整理すると、この実施の形態では、第１係合部３８及び第２係合部３９は、各々の投影が同一形状となるように形成されているので、Ｓ１＝Ｓ２である。そして、第１係合部３８及び第２係合部３９の投影面積は、胴部４０の投影面積より大きく、且つシート保持具３７全体の投影面積より小さくなるように設定されているため、Ｓ０＞Ｓ１（＝Ｓ２）＞Ｓ３の関係が成立する。
【００５７】
シート保持具３７の使用時には、まず、図８の（１）の実線で示した位置のシート状のフィルター２２に第１係合部３８の先端４１を突き刺した後、第１係合部３８でフィルター２２を突き破りながら第１係合部３８をフィルター２２に貫通させる。このとき、一点鎖線で示すように、第１係合部３８による突き破りによって、フィルター２２には第１係合部３８の投影面積Ｓ１とほぼ同じ大きさの開口４９が形成されることになる。尚、この過程においては、第１係合部３８の先端４１が尖るように形成されていることにより、第１係合部３８のフィルター２２への突き刺しに要する力が軽減されるため、フィルター２２の取り付けを容易に行うことができ、使い勝手が良い。
【００５８】
次に、図８の（１）の一点鎖線で示した位置にあるフィルター２２を、更に胴部４０側の破線で示した位置まで移動させる。この過程では、第２係合部３９の先端４１側の部分の投影面積Ｓは、第２係合部３９の投影面積Ｓ２より小さく、且つフィルター２２の開口４９の端部が傾斜面４７に沿って移動するため、開口４９が更に押し広げられることなく、フィルター２２は第２係合部３９の先端４１側の部分を通過する。
【００５９】
更にフィルター２２を破線で示した位置から胴部４０側へと移動させると、開口４９の端部は傾斜面４７に沿って更に左方向に移動するため、フィルター２２は二点鎖線で示した状態となる。このとき、第１係合部３８及び第２係合部３９の投影は同一形状に形成されているため、フィルター２２は、第１係合部３８の貫通時に生じた面積Ｓ１の開口４９で、そのまま第２係合部３９を通過することができる。したがって、シート保持具３７をフィルター２２の胴部４０まで貫通させるときにフィルター２２に生じる開口４９の大きさを、第１係合部３８の投影面積Ｓ１（第２係合部３９の投影面積Ｓ２）とほぼ同一にすることが可能となる。
【００６０】
また、第１係合部３８及び第２係合部３９は、先端４１側から見た平面４４と平行な方向において互いに反対方向に伸びるように形成されている。そのため、フィルター２２に第１係合部３８を貫通させた後（図８の（１）の一点鎖線の状態）、フィルター２２を特に回転等させることなく、図８における左方向に直線状に移動させるだけで、続けて第２係合部３９をフィルター２２に貫通させることが可能となる（図８の（１）の二点鎖線の状態）。これに加えて、第１係合部３８及び第２係合部３９の各々の外面の一部同志により連続的な傾斜面４７が形成されているため、取り付け時には、フィルター２２に生じた開口４９の端部が傾斜面４７に沿って連続的に移動する。これらによって、シート保持具３７のフィルター２２への取り付けを容易に且つスムーズに行うことができる。
【００６１】
一方、図８の（２）と図９の（２）とを併せて参照して、従来のシート保持具８０にシート形状のフィルター８５を取り付ける場合を想定する。このとき、胴部８２及びシート保持具８０全体の寸法を上記のシート保持具３７と同一、すなわち、胴部８２の軸方向と直交する平面８７への胴部８２及びシート保持具８０全体の投影面積をそれぞれＳ３及びＳ０とする。尚、この従来のシート保持具８０においては、平面８７への係合部８１の投影とシート保持具８０全体の投影とが一致しているため、係合部８１の投影面積は上記のシート保持具３７とは異なり、シート保持具８０全体の投影面積（Ｓ０）＝係合部８１の投影面積（Ｓ０）＞胴部８２の投影面積（Ｓ３）の関係となっている。
【００６２】
シート保持具８０の使用時には、実線で示した位置のフィルター８５に係合部８１の先端８９を突き刺した後、係合部８１でフィルター８５を突き破りながら、フィルター８５を図の破線で示した位置へと移動させる。このとき、フィルター８５には係合部８１による突き破りによって、係合部８１の位置に対応した大きさの開口８８が形成される。
【００６３】
更にフィルター８５を胴部８２側へと移動させると、フィルター８５の開口８８は係合部８１によって更に押し広げられ、フィルター８５が係合部８１の被取付体側（図における下方向）の端部を通過するときには、開口８８はシート保持具８０全体の投影面積Ｓ０と等しい大きさまで広げられた状態となる。
【００６４】
以上のように、この実施の形態によるシート保持具３７では、第１係合部３８及び第２係合部３９の順にフィルター２２を突き破りながら貫通させるようにすると、フィルター２２に生じる開口４９の面積はＳ１となり、シート保持具３７全体の投影面積Ｓ０より小さくすることができるため、取り付けられたフィルター２２の先端４１側への離脱が抑制され、フィルター２２の取り付け状態が安定する。また、開口４９がシート保持具３７全体の投影面積Ｓ０より小さくなるので、取り付け時にあっては、フィルター２２を突き破りながらシート保持具３７を貫通させるために要する力がより小さくなり、シート保持具３７へのフィルター２２の取り付けがしやすくなる。
【００６５】
特に、この実施の形態では、胴部４０は、平面４４への第１係合部３８及び第２係合部３９の各々の投影面積同志が重なり合う部分（図９の（１）の格子状部分）に一致するように形成されている。すると、取り付け時にフィルター２２に生じる開口４９の大きさは、第１係合部３８及び第２係合部３９の投影面積のみで規定され、胴部４０の大きさによって影響を受けないため、効率的なシート保持具３７となる。仮に、胴部４０が、図９の（１）の二点鎖線で示したような投影を有するように形成されている場合、開口４９の大きさは胴部４０によっても影響されることになる。尚、この実施の形態では、胴部４０が第１係合部３８及び第２係合部３９の投影同志が重なり合う部分に一致するように形成されているが、胴部４０が重なり合う部分に含まれる場合であっても同様の効果を奏することができる。
【００６６】
更に、第１係合部３８及び第２係合部３９は、平面４４への各々の投影が方向も含めて同一形状となるように形成されているため、フィルター２２に生じる開口４９の大きさを、第１係合部３８の投影面積Ｓ１と同一として、第１係合部３８及び第２係合部３９を貫通させるための必要最小限な大きさにすることができる。すなわち、最小限の力でフィルター２２を取り付けることができ、取り付けがより一層容易となると共に、シート保持具３７による保持状態が一層安定する。
【００６７】
図１０は、図１で示したフィルター構造体のシロッコファンへの取り付け過程の一例を示した概略工程図である。
【００６８】
図１０の（１）を参照して、まず、図の実線で示したフィルター２２を、枠体２３の面状ファスナー２９及びシート保持具３７が取り付けられた側（紙面の上方側）に取り付ける。このとき、図の二点鎖線で示すように、枠体２３の中央部とフィルター２２の中央とをほぼ一致させると共に、枠部２５ａ〜２５ｄの各々の先端が、フィルター２２の外周部分に形成された切欠２８ａ〜２８ｄの各々と対応する位置となるようにフィルター２２と枠体２３との位置関係を調整する。次に、位置合わせされたフィルター２２の外周部分を、枠部２５ｂ及び２５ｄの端部に取り付けられた面状ファスナー２９の各々に取り付ける。更に、枠部２５ａ及び２５ｃの端部に形成されたシート保持具３７の各々でフィルター２２を突き破って貫通させた状態とする。
【００６９】
この実施の形態によるシート保持具３７では、上述したように、フィルター２２のシート保持具３７への取り付けをより小さな力で容易に行うことが可能である。また、取り付けられたフィルター２２はシート保持具３７によって安定して保持されるため、フィルター２２と枠体２３とが確実に一体化した状態となる。
【００７０】
次に、図１０の（２）の破線で示すように、枠体２３と一体化されたフィルター２２がシロッコファン１２の吸気口１４を覆うと共に、枠体２３がシロッコファン１２とフィルター２２との間において、吸気口１４に架け渡された状態となるように仮置きする。このとき、外方へと突出した保護リング１５のネジ１６ａ及び１６ｂを避けて安定して枠体２３を配置するために、フィルター２２を図における時計回り方向等に回転させ、図の実線で示すように取り付け位置を調整する。
【００７１】
そして、図１０の（３）に示すように、４つの固定具１７ａ〜１７ｄで、位置決めされたフィルター２２の取付部２７の各々をシロッコファン１２の前面部１３に固定すると、フィルター構造体２１の取り付けが完了する。
【００７２】
以上のようにすると、フィルター２２は、面状ファスナー２９及びシート保持具３７を介して枠体２３によって、広げた状態で吸気口１４を覆うように保持され、シロッコファン１２の吸気口１４内部の汚れを防止することが可能となる。そして、フィルター２２は、面状ファスナー２９及びシート保持具３７によって枠体２３と脱着自在であるため、使用によってフィルター２２が汚れた場合には、フィルター２２のみを交換し、持続してシロッコファン１２の汚れを防止することが可能となる。
【００７３】
尚、上記の第１の実施の形態では、シロッコファンの吸気口を覆うフィルター構造体において、フィルターを枠体に取り付けるためのシート保持具に適用しているが、フィルター以外のシート体を他の被取付体に保持するためのシート保持具に適用しても良い。
【００７４】
また、上記の第１の実施の形態では、第１係合部は側面視においてほぼ三角形状に形成され、第２係合部は側面視においてほぼ台形状に形成されているが、必ずしもこのような形状に構成する必要はなく、他の形状に形成しても良い。また、必ずしも第１係合部及び第２係合部の全体が広がるように形成される必要はなく、各々の少なくとも被取付体側が広がるように形成されていれば良い。
【００７５】
更に、上記の第１の実施の形態では、胴部は四角柱形状に形成されているが、胴部の軸方向と直交する平面への胴部の第２係合部側の端部の投影面積に対して、第１係合部及び第２係合部の投影面積が大きくなるように設定されていれば、胴部を他の形状となるように形成しても良い。
【００７６】
更に、上記の第１の実施の形態では、胴部は、その投影が第１係合部及び第２係合部の投影の各々が重なり合う部分と一致するように形成されているが、必ずしもこのように構成する必要はなく、他の形状に形成しても良い。
【００７７】
更に、上記の第１の実施の形態では、胴部の軸方向と直交する平面への第１係合部及び第２係合部の投影が同一形状となるように形成されているが、必ずしもこのように構成する必要はなく、各々の投影が別の形状となるように第１係合部及び第２係合部を構成しても良い。
【００７８】
更に、上記の第１の実施の形態では、第１係合部及び第２係合部は、胴部の投影とは重なり合わない投影を構成する部分を面状よりなる突出面に形成しているが、面状以外の他の形状に形成しても良い。
【００７９】
更に、上記の第１の実施の形態では、第１係合部及び第２係合部の各々の突出面の全体が、シート保持具の先端側に凹むように形成されているが、必ずしもこのように構成する必要はなく、突出面の各々の外方端部の少なくとも近傍が先端側へと凹むように形成されていれば、同様の効果を発揮する。また、面状の突出面全体を必ずしも凹むように構成する必要はなく、平坦面の一部に凹みを形成したり、突出面の一部が被取付体側に突出するように形成しても良い。
【００８０】
更に、上記の第１の実施の形態では、第１係合部及び第２係合部は、先端側から見て互いに反対方向に直線状に伸びるように形成されているが、必ずしもこのように構成する必要はなく、第１係合部及び第２係合部を、先端側から見たときに反対方向以外に伸びるように構成しても良い。
【００８１】
更に、上記の第１の実施の形態では、第１係合部の外面の一部と第２係合部の外面の一部とで連続した傾斜面が形成されているが、必ずしもこのように構成する必要はなく、第１係合部及び第２係合部の外面同志が面以外で段状に接続されていても良い。
【００８２】
更に、上記の第１の実施の形態では、第１係合部の先端が尖るように形成されているが、必ずしもこのように構成する必要はなく、シート体に突き刺すことができる形状であれば良い。
【００８３】
更に、上記の第１の実施の形態において、第２係合部の被取付体側に、係合部を更に１つ以上設けて、３つ以上の係合部でシート体を保持するようにシート保持具を構成しても良い。
【図面の簡単な説明】
【００８４】
【図１】この発明の第１の実施の形態によるシート保持具を備えたフィルター構造体の使用状態を示した分解斜視図である。
【図２】図１で示したシロッコファン部分の拡大正面図である。
【図３】図２で示したＩＩＩ−ＩＩＩラインの断面図である。
【図４】図２で示したＩＶ−ＩＶラインの拡大端面図である。
【図５】図２で示した”Ｙ”部分の拡大図である。
【図６】図５で示したＶＩ−ＶＩラインの拡大断面図である。
【図７】図５で示したＶＩＩ−ＶＩＩラインの拡大断面図である。
【図８】この発明の第１の実施の形態によるシート保持具の利点を説明するための図であって、その（１）は、図７で示したＶＩＩＩ１−ＶＩＩＩ１ラインの端面図であり、その（２）は、従来のシート保持具を示した図である。
【図９】図８に対応して、シート保持具の各々の投影とその投影の模式図とを示した図である。
【図１０】図１で示したフィルター構造体のシロッコファンへの取り付け過程を示した概略工程図である。
【図１１】従来のシート保持具の概略を示した模式図である。
【符号の説明】
【００８５】
２２…フィルター
２３…枠体
３７…シート保持具
３８…第１係合部
３９…第２係合部
４０…胴部
４１…先端
４４…平面
４５、４６…突出面
４７…傾斜面
尚、各図中同一符号は同一または相当部分を示す。
【図１】
2006177626.tif 000003
【図２】
2006177626.tif 000004
【図３】
2006177626.tif 000005
【図４】
2006177626.tif 000006
【図５】
2006177626.tif 000007
【図６】
2006177626.tif 000008
【図７】
2006177626.tif 000009
【図８】
2006177626.tif 000010
【図９】
2006177626.tif 000011
【図１０】
2006177626.tif 000012
【図１１】
2006177626.tif 000013